(57)【特許請求の範囲】
【請求項１】
内部に扱胴（１４）を軸架した扱室（１５）の前側に穀稈供給口（１３）を開口し、該穀稈供給口（１３）から連続して開口させた扱口（１９）の右外側に沿わせて挟持杆（１６）とフィードチェン（１７）とからなる挟持搬送装置（１８）を設け、揺動選別棚（３）を備えた選別室（２）を扱室（１５）の下方から後方にわたって設け、該揺動選別棚（３）の下方の位置に、選別方向の上手側から圧風唐箕（２０）と一番移送螺旋（２１）と二番移送螺旋（２２）を順に配置し、前記揺動選別棚（３）の前部を扱室（１５）の下方に臨ませて配置し、該揺動選別棚（３）の後端部の上方には横断流ファン（５）を横向きに軸架し、該横断流ファン（５）の吸塵口（６）を下方に向けると共に排塵口（３３）を機外に向けて設け、前記圧風唐箕（２０）からの選別風が一番移送螺旋（２１）の上方を通り揺動選別棚（３）内を通過して横断流ファン（５）側に向かう構成とし、前記揺動選別棚（３）よりも上側であって脱穀装置（１）の左側の部位に、処理歯（４０）を備えた処理胴（１０）を設け、該処理胴（１０）の回転によって処理物を横断流ファン（５）の前方側の揺動選別棚（３）上に拡散する構成とし、平面視において前記横断流ファン（５）の左側に片側吸引式ファン（４）を配置したことを特徴とする脱穀装置。
【請求項２】
前記処理胴（１０）を脱穀装置（１）の左側の側板（９）に接近した部位に配置し、該処理胴（１０）の回転によって処理物を横断流ファン（５）の前方側の揺動選別棚（３）上に向けて斜め前方側へ拡散する構成としたことを特徴とする請求項１に記載の脱穀装置。
【請求項３】
前記処理胴（１０）を脱穀装置（１）の左側の側板（９）の外側に設けた処理胴駆動ケース（４３）に軸架したことを特徴とする請求項１または請求項２に記載の脱穀装置。
【請求項４】
前記処理胴（１０）を二番移送螺旋（２２）に連動して回転する構成としたことを特徴とする請求項１または請求項２又は請求項３に記載の脱穀装置。
【発明の詳細な説明】
【技術分野】
【０００１】
この発明は、脱穀装置に関するものである。
【背景技術】
【０００２】
従来から、この種の脱穀装置は、選別室の上部位置に揺動選別棚が設けられ、その下方に、選別方向の上手側から圧風唐箕、一番移送螺旋、二番移送螺旋を順番に軸架して構成されている。そして、揺動選別棚の終端部の上方には広幅の横断流ファンが、若干右寄りに位置して横軸に軸架された構成となっている。
【０００３】
例えば、本件の出願前に公開され、本件出願人が特許文献１として提示した特開平１１−１５５３４８号公開特許公報には、扱室、排塵処理室、揺動選別棚、横断流ファン等を装備した従来型の脱穀装置が開示されている。
【先行技術文献】
【特許文献】
【０００４】
【特許文献１】特開平１１−１５５３４８号公報
【発明の概要】
【発明が解決しようとする課題】
【０００５】
従来の脱穀装置は、上記した特許文献１に見られるように、横断流ファンを、揺動選別棚の後部に近い上方位置に横向きにして機体の右側寄り（左端を排塵処理室から離して）に配置して横軸に軸架した構成としている。
【０００６】
したがって、従来の装置は、選別室側に排出された処理物の処理が不充分で、揺動選別棚上への拡散作用や、藁屑、及び塵埃等の排塵物を適確に機外へ排出する排塵作用（排塵能力）に課題があった。そのため、選別室の左側に排出された排塵物は、横断流ファンで吸塵されて機外へ排出される量が少なく、大部分の排塵物が二番移送螺旋側に落下して二番処理室に還元され、二番処理室の負荷を増大し、脱穀選別作用全体の効率を大幅に阻害する課題があった。
【課題を解決するための手段】
【０００７】
この発明は、上記課題を解決するために、次のような技術的手段を講じる。
請求項１記載の発明は、内部に扱胴（１４）を軸架した扱室（１５）の前側に穀稈供給口（１３）を開口し、該穀稈供給口（１３）から連続して開口させた扱口（１９）の右外側に沿わせて挟持杆（１６）とフィードチェン（１７）とからなる挟持搬送装置（１８）を設け、揺動選別棚（３）を備えた選別室（２）を扱室（１５）の下方から後方にわたって設け、該揺動選別棚（３）の下方の位置に、選別方向の上手側から圧風唐箕（２０）と一番移送螺旋（２１）と二番移送螺旋（２２）を順に配置し、前記揺動選別棚（３）の前部を扱室（１５）の下方に臨ませて配置し、該揺動選別棚（３）の後端部の上方には横断流ファン（５）を横向きに軸架し、該横断流ファン（５）の吸塵口（６）を下方に向けると共に排塵口（３３）を機外に向けて設け、前記圧風唐箕（２０）からの選別風が一番移送螺旋（２１）の上方を通り揺動選別棚（３）内を通過して横断流ファン（５）側に向かう構成とし、前記揺動選別棚（３）よりも上側であって脱穀装置（１）の左側の部位に、処理歯（４０）を備えた処理胴（１０）を設け、該処理胴（１０）の回転によって処理物を横断流ファン（５）の前方側の揺動選別棚（３）上に拡散する構成とし、平面視において前記横断流ファン（５）の左側に片側吸引式ファン（４）を配置したことを特徴とする脱穀装置とした。
【０００８】
請求項２記載の発明は、前記処理胴（１０）を脱穀装置（１）の左側の側板（９）に接近した部位に配置し、該処理胴（１０）の回転によって処理物を横断流ファン（５）の前方側の揺動選別棚（３）上に向けて斜め前方側へ拡散する構成としたことを特徴とする請求項１に記載の脱穀装置とした。
【０００９】
請求項３記載の発明は、前記処理胴（１０）を脱穀装置（１）の左側の側板（９）の外側に設けた処理胴駆動ケース（４３）に軸架したことを特徴とする請求項１または請求項２に記載の脱穀装置とした。
【００１０】
請求項４記載の発明は、前記処理胴（１０）を二番移送螺旋（２２）に連動して回転する構成としたことを特徴とする請求項１または請求項２又は請求項３に記載の脱穀装置とした。
【発明の効果】
【００１１】
請求項１記載の発明によると、処理胴（１０）の回転によって処理物を横断流ファン（５）の前方側の揺動選別棚（３）上に拡散し、風選作用と揺動選別作用とを与え、軽い藁屑や塵埃を横断流ファン（５）の吸塵作用によって機外に排塵することができる。即ち、処理胴（１０）を脱穀装置（１）の左側の部位に配置しながら、拡散機能が発揮でき、選別効率を向上させることができる。また、藁屑や塵埃を片側吸引式ファン（４）によって吸塵して機外へ排出し、二番還元物を少なくして、脱穀選別効率を向上させることができる。
【００１２】
請求項２記載の発明によると、上記請求項１記載の発明の効果を奏するうえに、処理胴（１０）を脱穀装置（１）の左側の側板（９）に接近させながら、充分な拡散機能が発揮でき、選別効率を向上させることができる。これにより、二番還元物を減少させることができると共に、機外へ飛散する穀粒量を少なくしてロスを低減することができる。
【００１３】
請求項３記載の発明によると、上記請求項１または請求項２に記載の発明の効果に加え、拡散処理胴（１０）を、脱穀装置の左の側板（９）の外に設けた強固な拡散処理胴駆動ケース（４３）に支持し、処理物の停滞やひっかかり等の不具合を解消することができる。
【００１４】
請求項４記載の発明によると、上記請求項１または請求項２または請求項３に記載の発明の効果を奏するうえで、処理胴（１０）を二番移送螺旋（２２）に連動して回転させることができる。
【図面の簡単な説明】
【００１５】
【図１】脱穀装置の正断面図
【図２】脱穀装置の平断面図
【図３】脱穀装置の側断面図
【図４】脱穀装置の正断面図
【図５】脱穀装置の正断面図
【図６】一部を断面した側面図
【図７】脱穀装置の背断面図
【図８】片側吸引式ファンの側面図
【図９】拡散処理胴の平面図
【図１０】拡散処理胴の側面図
【図１１】脱穀装置の平断面図
【図１２】一部を断面して示す側面図
【図１３】脱穀装置の伝動機構図
【図１４】脱穀装置の背断面図
【図１５】横断流ファンと片側吸引式ファンの背面図
【図１６】脱穀装置から横断流ファンを取出した背面図
【図１７】脱穀装置から横断流ファンを取出した右側面図
【図１８】主変速操作レバーの側面図
【図１９】脱穀装置の正断面図
【図２０】脱穀装置の一部破断した左側面図
【図２１】脱穀装置の右側面図
【図２２】脱穀装置の正断面図
【発明を実施するための形態】
【００１６】
以下、この発明の実施例を図面に基づいて具体的に説明する。
まず、本件出願の明細書中に記載した左側、及び右側の表現は、脱穀装置１の穀稈供給口１３側（図１や図４に示す正面視）から見た状態を基準にして左右を判断し、記載している。
【００１７】
つぎに、脱穀装置１は、図３、及び図４に示すように、一方に穀稈供給口１３を開口して内部に扱胴１４を軸架した扱室１５の下方に、選別室２を設け、前記穀稈供給口１３から連続して開口させた扱口１９には、外側に沿わせて挟持杆１６とフィードチェン１７とからなる挟持搬送装置１８を設けて構成している。そして、選別室２は、図３に示すように、上記扱室１５の下方から後方に延長し、後述する排塵処理室８の終端部から脱穀装置１の排塵側にまで延長した構成としている。そして、選別室２は、図３に示すように、上側に揺動選別棚３を設け、その下方位置に、選別方向の上手側から圧風唐箕２０、一番移送螺旋２１、二番移送螺旋２２の順に配置してそれぞれ横軸に軸架して伝動可能に構成している。
【００１８】
そして、前記揺動選別棚３は、図２、及び図３に示すように、始端部分を前記扱室１５の下方に臨ませて位置させ、この部位に移送棚３ａを設け、続いてチャフシーブ３ｂを配置しており、終端部分にはストローラック３ｃを配置して設け、揺動機構２３に接続して前後方向に揺動しながら選別する構成としている。そして、選別風路２４は、図３から解るように、選別室２内に形成するが、基部を前記圧風唐箕２０に連通させ、一番移送螺旋２１や二番移送螺旋２２の上方を通し、前記揺動選別棚３内を通過させて後部の横断流ファン５側に向けて構成している。
【００１９】
したがって、選別風は、圧風唐箕２０で起風されて選別風路２４に吹き出されると、一番選別、二番選別を行いながら選別棚３のチャフシーブ３ｂの間を吹き抜けて後部で排塵選別を行い、横断流ファン５側とストローラック３ｃ上に達して後部の排塵口２５から機外に排塵するのである。２６は寄せ板であって、移送棚３ａ上に設けている。
【００２０】
つぎに、二番処理室２８と排塵処理室８とは、図３、乃至図６に示すように、二番処理室２８を扱室１５の左側に沿わせて配置し、更に、排塵処理室８を、始端部を扱室１５後部に連通させて後方に延長して、選別室２の上方左側に位置させて配置した構成としている。そして、二番処理室２８は、二番処理胴２９を内装して軸架し、前記二番移送螺旋２２の終端部に連通した二番揚穀装置３０によって二番物が揚穀されて還元され、二番処理作用を行う構成としている。そして、排塵処理室８は、図３、及び図６に示すように、排塵処理胴３１を内装軸架して設け、始端部を前記扱室１５の終端部左側に開口連通させて扱室１５から受け継いだ未処理の排塵物を処理しながら後方へ搬送して選別室２に漏下し、終端部には排塵口３２を開口して排塵する構成としている。
【００２１】
そして、上記排塵処理胴３１は、図６に示すように、前部処理胴３１ａと後部処理胴３１ｂとの２つに分割されて一体の如く軸架されており、前部処理胴３１ａは、前側の二番処理胴２９から入力され、後部処理胴３１ｂは、これとは別に後部側から入力される構成としている。
【００２２】
なお、伝動機構については、まとめて後述する。
そして、横断流ファン５は、図１、及び図２に示すように、揺動選別棚３の終端部分でストローラック３ｃの上方に横向きに軸架して設け、吸塵口６を下方に向け、排塵口３３を機外に向けて構成している。そして、片側吸引式ファン４は、図面から解るように、上記横断流ファン５の左横側で排塵処理室８に近い側に配置して、横断流ファン５との間の仕切壁３４を設けて区画し、別軸に軸受けさせた構成としている。
【００２３】
この場合、片側吸引式ファン４は、後述するケーシング３８に取り付けた左側の支持板３５と右側の上記仕切壁３４との間にあって、両者によって軸受支持され、左側から伝動される構成としており、一方、前記横断流ファン５は、左側の端部を前記仕切壁３４に軸受支持し、右側が右機体側板（側板）９に軸受けさせた構成とし、両ファン４，５をそれぞれ別軸に支持している。
【００２４】
そして、支持板３５は、図１、及び図２に示すように、中心の軸受部位を右側（片側吸引式ファン４の中心側）に凹状にオフセットさせた形状として伝動スプロケット３６を右に寄せて、後述する拡散処理胴１０をできるだけ長く形成するために工夫した構成としている。そして、片側吸引式ファン４は、図８に示すように、上記支持板３５に吸塵口７を開口して排塵処理室８側に臨ませ、排塵口３７を後部で機外に向けて開口した構成としている。
【００２５】
そして、上記片側吸引式ファン４と前記横断流ファン５とは、図１、乃至図３、及び図５に示すように、両ファン４，５の外径を略同等に形成して、外周を覆うケーシング３８、及び出口側（排塵口３３、３７）に設ける分離板３９を共用する構成としている。
【００２６】
つぎに、拡散処理胴１０は、図面に示すように、前記片側吸引式ファン４より低い位置で揺動選別棚３の上面に接近させて位置させ、しかも、左側の機体側板９側に寄せて、その側板９の外に設けた拡散処理胴駆動ケース（処理胴駆動ケース）４３に片持ち状態に軸架して構成している。そして、実施例の場合、拡散処理胴１０は、図１に示す正面視や図１２の側面視において、前記片側吸引式ファン４と左側の機体側板９との間に位置し、更に、前記排塵処理室８の下方位置で処理物の落下位置にある構成としている。
【００２７】
このように、拡散処理胴１０は、左の機体側板９の外に設けた強固な拡散処理胴駆動ケース４３（図２、図６、図９、及び図１０参照）に片持状に支持したから、右側が開放されて処理物の停滞やひっかかり等の不具合が解消され、片側吸引式ファン４への伝動を取ることもできる構成となっている。
【００２８】
そして、拡散処理胴１０は、図９、及び図１０に示すように、回転方向にリード角を持たせた複数のツース歯（処理歯）４０を設け、揺動選別棚３上の左側部分に盛り上がっている一定の層厚以上に高い部分の排塵物や、排塵処理室８から落下してくる排塵物を横断流ファン５の前方側の棚上に、斜め前方側へ拡散できる構成としている。そして、拡散処理胴１０は、図１で解るように、左側の一定範囲にツース歯４０を設けない範囲１１を形成して、その部分１１を揺動選別棚３の側壁４１に接近させて設け、側面視で側壁４１とツース歯４０とが左右にラップする状態に構成している。
【００２９】
このように構成すると、拡散処理胴１０は、左側の機体側板９に接近させながら、揺動選別棚３側との上下関係も接近できて全体の機体高さを低くし、充分な拡散機能が発揮できて選別効率を上げる事ができる。そして、拡散処理胴１０は、稲の品種や熟度によっても異なるが、揺動選別棚３の左側に未処理物の堆積層が厚くなると、これらを、回転にともなってリード角を持つツース歯４０によって斜め前方で、横断流ファン５の前方側の棚３上に拡散することができる。その結果、本案の拡散処理胴１０は、従来の拡散処理胴のない脱穀装置に比較すると、二番還元量を大幅に減少するとともに、排塵物として機外へ飛散する穀粒量を少なくしてロスを低減することができる特徴がある。
【００３０】
そして、拡散処理胴４は、図３に矢印で示すように、横断流ファン５と同方向で右側の機体側板９側からみて時計回りに回転している。
なお、拡散処理胴１０は、図１１に示すように、ツース歯４０に代えて螺旋処理歯４２を取り付けた構成にしても良い。この螺旋処理歯４２は、揺動選別棚３上の処理物が一定層以上の高さに達すると、その高い部分に連続的に作用して確実に横断流ファン５の前方側の棚３上に向けて斜めに跳ね出しながら送ることができる特徴がある。
【００３１】
更に、螺旋処理歯４２は、連続する螺旋形状のために、穀粒を含む処理物への衝突回数が、不連続のツース歯４０に比較すると少なくなり、損傷粒の発生を大幅に少なくできる特徴がある。
【００３２】
つぎに、脱穀装置１の伝動機構について説明する。
まず、エンジン６０は、図１３に示すように、出力する回転動力を二手に分岐して、一方を静油圧式無段変速装置６１を経由して走行ミッション装置６２に入力し、他方を脱穀装置１に入力する構成としている。そして、脱穀装置１は、唐箕軸６３に入力された動力を、扱胴１４、及び二番処理胴２９側と、揺動選別装置３の揺動機構２３とフィードチェン１７側と、更に、圧風唐箕２０は勿論のこと、一番、二番の移送螺旋２１，２２側に分岐して伝動する構成としている。
【００３３】
そして、排塵処理胴３１は、図１３に示すように、前部処理胴３１ａが二番処理胴２９と一体に伝動される構成としている。そして、後部処理胴３１ｂは、二番移送螺旋２２を経由し、更に、変速プーリ６５から第一伝動ケース６６を経由して伝動される構成としている。そして、第二伝動ケース６７は、前記第一伝動ケース６６から伝動されて、拡散処理胴１０を経由して片側吸引式ファン４まで伝動する構成としている。
【００３４】
一方、横断流ファン５は、図１３に示すように、二番移送螺旋２２からカウンター軸６９、変速プーリ７０を経由して伝動される構成としている。
このように、横断流ファン５と、拡散処理胴１０、及び片側吸引式ファン４とは、前者が右側の機体側板９側から入力して駆動され、後者が左側の機体側板９側から入力して駆動される伝動の配置構成としている。
【００３５】
したがって、脱穀装置１の伝動機構は、機体の左側に設けた拡散処理胴１０と片側吸引式ファン４とを、左側から入力した動力で駆動し、機体の右側に寄せて軸架している横断流ファン５を、右側の機体側板９から入力して駆動するから、伝動機構が比較的簡潔となり、コスト的にも安く製作できる特徴がある。
【００３６】
上記構成によって、片側吸引式ファン４は、横断流ファン５に影響を与えることなく、独立して変速ができるから、処理量に応じて変速が可能であって、通常、横断流ファン５より高速で回転しながら吸塵、排塵作用を行っている。
【００３７】
既に説明したように、排塵処理室８においても、排塵処理胴３１は、前部処理胴３１ａと後部処理胴３１ｂとの伝動経路を前後から入力する別経路に構成したから、前部処理胴３１ａは、扱室１５から受け継いだ排塵物の処理にあたり、穀粒の脱プや損傷を抑制しながら比較的低い回転速度で回り、枝梗付着粒等の単粒化を促進して藁屑を分離し、後部処理胴３１ｂは、前部処理胴３１ａより高速回転にして藁屑等の細断化を促進することができる特徴がある。
【００３８】
そして、後部処理胴３１ｂと片側吸引式ファン４とは、図１３の伝動機構図、及び図１４に示すように、変速プーリ６５より伝動下手側の第一伝動ケース６６で動力を両側に分岐して処理胴駆動ベルト７２とファン駆動ベルト７３でそれぞれ伝動する構成を取っているから、両者をシンクロさせた状態で変速することが可能であり、双方への入力回転や回転方向の調整や設定等が容易になる利点がある。そして、上記した後部処理胴３１ｂと片側吸引式ファン４とは、それぞれ駆動ベルト７２，７３を使用したから、両者の一方に過負荷状態や異物混入等で回転低下が発生しても、ベルト伝動の特性でスリップが起こり、他方側への悪影響、被害等を最低に止めることができる利点もある。
【００３９】
つぎに、横断流ファン５と片側吸引式ファン４とを、脱穀装置１に対して着脱する構成について説明する。
まず、横断流ファン５と片側吸引式ファン４とは、図１５に示すように、機体内部のケーシング３８に摺動自由に支持している仕切壁３４に、それぞれベヤリング７５、７５を介して軸受け支持した２つの支持軸７６，７７を設け、一方の短い支持軸７６に片側吸引式ファン４を軸着し、他方の長い支持軸７７に横断流ファン５を軸着して構成している。そして、短い支持軸７６は、図１６で解るように、ケーシング３８側の支持板３５（外側）に固定する軸受装置７８と伝動スプロケット３６とを着脱自由に軸着するカップリング部７９を形成した構成としている。そして、長い支持軸７７は、端部（外側）に軸受装置８０を支持して設け、この軸受装置８０に取付側板８１を一体に支持して構成している。そして、該軸受装置８０は、その外側に一対の噛合したカウンターギヤ８２，８３と、変速プーリ７０とを一体に支持した構成としている。
【００４０】
そして、脱穀装置１は、図１７に示すように、後部の右側の機体側板９に、片側吸引式ファン４と横断流ファン５とを挿し込みができる程度の直径の挿入孔８５を形成して、上記２つのファン４，５を挿入し、引き出しができる構成としている。この場合、片側吸引式ファン４と横断流ファン５とは、上記挿入孔８５に挿入するとき、機体内部のケーシング３８の内空に沿わせながら、脱穀装置１の右側の機体側板９から挿入し、支持軸７６の端部（左端部）を支持板３５に固着している軸受装置７８に挿し通して支持し、支持軸７７の端部に固着している取付側板８１を右側の機体側板９の外側に重ね合わせてねじ締めして固着する構成としている。
【００４１】
以上述べたように、横断流ファン５は、図１７に示す駆動ベルト８６を外し、続いて機体側板９からねじを緩めて取付側板８１を外すだけの操作で外側に引き出し、清掃やメンテナンスができる。更に、実施例は、図１５に示すように、取付側板８１に一対のカウンターギヤ８２，８３や変速プーリ７０を支持したまま取り外しが可能であって、伝動機構を分解する等の手間がかからず比較的簡単に着脱ができる特徴がある。
【００４２】
そして、実施例の場合、片側吸引式ファン４は、これを支持する短い支持軸７６の軸端にカップリング部７９を形成することによって、伝動スプロケット３６を着脱自在として、横断流ファン５側と一体に取り外しを可能にしたから、清掃やメンテナンスが横断流ファン５と一緒にできるものとなった。この場合も、片側吸引式ファン４の伝動機構の分解や取外しが、不必要であり、着脱時の手間がほとんどかからない利点がある。
【００４３】
更に、実施例は、両ファン４，５を仕切る仕切壁３４を一体に外すから、ケーシング３８の内部空間を大きく開放することが可能となって、内側の隅々まで清掃が可能となり、メンテナンス性が大幅に向上した優れた特徴がある。
【００４４】
つぎに、後部処理胴３１ｂと拡散処理胴１０と片側吸引式ファン４とを伝動する一方の伝動系と、横断流ファン５を伝動する他方の伝動系について、車速（この場合「作業速度」と同一である。以下同じ）に追従させて変速制御する構成について説明する。これらの各装置は、コンバインの車速を高速側に変速して作業能率を上げると、当然のことながら脱穀処理量が増大するから、これに適確に対応して処理するためには、各装置の回転速度を増大させて処理能力を高める必要がある。
【００４５】
そこで、図外のコンバインは、図１８に示すように、主変速操作レバー９０が設けられ、これの操作によって、既に説明した図１３に示す伝動機構図の静油圧式無段変速装置６１を変速操作して走行ミッション装置６２を経由した回転動力がクローラに伝達されて車速が変速される構成としている。そして、上記主変速操作レバー９０の変速操作量は、図面から解るように、接続して設けているポテンショメータ８９によって検出され、図外のコントローラに入力する構成としている。
【００４６】
そこで、後部処理胴３１ｂと拡散処理胴１０と片側吸引式ファン４とを伝動する伝動系が、車速に追従して変速制御する構成について説明する。
まず、制御モータ９１は、図１９、及び図２０に示すように、ピニオンギヤ９２をラックギヤ９３に噛合させて設け、連動アーム９４を介して制御ロット９５を押し引き操作して変速プーリ６５のベルト伝動径を拡縮調節する構成としている。９６はテンションプーリを示している。
【００４７】
そして、二番移送螺旋２２の左プーリ９７は、図１９、及び図２０（図１３参照）に示すように、上記変速プーリ６５との間に巻回した伝動ベルト９８を前記テンションプーリ９６が常時張圧した状態で伝動する構成としている。
【００４８】
以上の構成において、変速プーリ６５は、回転径が拡大されると減速され、縮小されると増速されて、回転動力を、図１３に示す第一伝動ケース６６に入力して、一連の後部処理胴３１ｂと拡散処理胴１０と片側吸引式ファン４とを変速できる構成となっている。この場合、前記制御モータ９１は、前記した図示しないコントローラから出力される制御信号に基づいて、回転方向と回転範囲が制御されて、ピニオンギヤ９２を駆動し、ラックギヤ９３、連動アーム９４、制御ロット９５を介して変速プーリ６５を操作することになる。
【００４９】
このように、一つの伝動系で構成している後部処理胴３１ｂと拡散処理胴１０と片側吸引式ファン４とは、主変速操作レバー９０の変速操作によって変速される車速、すなわち、作業速度に追従して自動的に増・減速制御されて処理量の増減に対応しながら適確に処理ができる。したがって、各装置は、高速走行時には高速側に制御されて、処理物の停滞をなくして高能率で処理し、低速時にはそれに合った回転速度に減速されて適確に処理して、損傷粒の発生を未然に防止できるものとなった。
【００５０】
なお、上記実施例は、後部処理胴３１ｂと拡散処理胴１０と片側吸引式ファン４とは、一つの伝動系にあるから、変速率は略同等であって、平行的に変速する構成になっている。
【００５１】
そして、上記後部処理胴３１ｂと拡散処理胴１０と片側吸引式ファン４とは、最低速度を中間の速度（どんな場合でも必要な最低の処理能力を持つ回転速度）を下限に設定して、それより高速側でのみ変速制御をする構成にするのが望ましい。
【００５２】
つぎに、横断流ファン５は、図２１に示すように、制御モータ９１が駆動するピニオンギヤ９２をラックギヤ９３に噛合させて、連動アーム９４を介して制御ロット９５を押し引き操作して、変速プーリ７０の伝動径を拡縮調節する構成としている。そして、変速プーリ７０は、図１３で説明したように、カウンタ軸６９のプーリ９９から駆動ベルト８６で伝動され、途中位置にテンションプーリ９６が設けられている。
【００５３】
このように、横断流ファン５は、図２１（図１３参照）に示すように、図示しないコントローラから出力される制御信号によって制御モータ９１が制御されて車速に追従して変速制御されるものである。
【００５４】
以上述べたように、横断流ファン５は、車速（作業速度）の変速に追従して変速制御することによって、増・減する処理量に対応じて処理能力を合わせながら作業ができる特徴がある。そして、横断流ファン５は、先に説明したように、拡散処理胴４が作業速度の変速に対応して変速されて処理物を横断流ファン５の前方の揺動選別棚３上に拡散したとき、これに対応することができて、適確な排塵処理作用が可能となった。
【００５５】
このように、変速制御機構は、前記後部処理胴３１ｂと拡散処理胴１０と片側吸引式ファン４とを変速する機構は、脱穀装置１の左側の機体側板９に装置し、横断流ファン５を変速する機構は、右側の機体側板９に装置しているから、構成が比較的シンプルになって低コストで製作できると共に、メンテナンスも容易になる特徴がある。
【００５６】
つぎに、揺動選別棚３上を流動する処理物や二番処理室２８内を流動する二番処理物の量をセンサで検出し、その検出情報に基づいて片側吸引式ファン４や横断流ファン５を変速制御する実施例について説明する。
【００５７】
まず、層厚センサ１０５は、図２２（図３参照）に示すように、揺動選別棚３の上方において、棚３の左右両側部分を流動する処理物を別々に検出できるように、左層厚センサ１０５ａと右層厚センサ１０５ｂとを垂下状態に設けて、処理物の層厚を接触式で検出して、図外のコントローラに入力する構成としている。
【００５８】
この場合、左層厚センサ１０５ａと右層厚センサ１０５ｂとは、図２２（図３参照）に示すように、基部を扱室１５の後部で下部に位置する後板１０６に取り付けて下方に延長し、先端部分の検出部位で、揺動選別棚３上を流動する左右両側の処理物が、一定以上の高さになったとき、その層厚を左右別々に検出できる構成としている。
【００５９】
そして、コントローラは、上記左右の層厚センサ１０５ａ，１０５ｂから検出情報が入力されると、記憶保持している基準値等と比較演算しながら、左層厚センサ１０５ａの検出情報に基づく制御信号を左側の前記制御モータ９１（図２０参照）に出力し、右層厚センサ１０５ｂの検出情報に基づいて出力される制御信号を右の制御モータ９１（図２１参照）に出力して制御する構成としている。
【００６０】
このように、第１実施例は、図２２と図１とを参照しながら作用を説明すると、図２２に示す左層厚センサ１０５ａが検出した情報に基づいてコントローラから出力される制御信号では、拡散処理胴１０と片側吸引ファン４と後部処理胴３１ｂとが変速制御される。そして、右側寄りの横断流ファン５は、図２２に示す右側の右層厚センサ１０５ｂの検出情報に基づいて増・減速の制御が行われることになる。
【００６１】
以上述べたように、第１実施例は、揺動選別棚３上の処理物が、二番還元量（この場合は二番処理室２８から直接揺動選別棚３上の左側に落下する処理物の意味）の大小や、処理物中の水分含量、機体の傾斜などのために棚３上の処理物が、全面均一な層にならない場合が多く、左右の層厚に差が生じて処理物が偏った場合に対応して処理することができる。
【００６２】
つぎに、第２実施例は、右層厚センサ１０５ｂの検出情報に基づいて横断流ファン５の変速制御が行われ、左層厚センサ１０５ａの検出情報に基づく制御信号では、左右両側の  制御モータ９１が制御される構成にしている。
【００６３】
このように、第２実施例では、横断流ファン５は、左右両方の層厚センサ１０５ａ，１０５ｂのどちらが検出しても、変速制御が行われる構成になっており、例えば、左層厚センサ１０５ａのみが高い層厚を検出して左側の変速制御が行われると、拡散処理胴１０が拡散した処理物が横断流ファン５の前方の揺動選別棚３上に拡散されるから、これらの排塵処理量が増大するのに対応するために横断流ファン５を変速制御する必要が生じるのである。
【００６４】
したがって、横断流ファン５は、揺動選別棚３上に処理物が増加すると、右側、左側に関係なく、常に増速する必要がある。
つぎに、二番処理室２８に二番検出センサ１０７を設けて室内の処理量の増・減を検出して変速制御を行う構成を説明する。
【００６５】
まず、二番検出センサ１０７は、図４に示すように、二番処理室２８の上部位置に設け、室内の二番物の量を検出してコントローラに検出情報を入力する構成としている。そして、図外のコントローラは、二番検出センサ１０７から検出情報が入力されると、記憶している基準値等と比較演算しながら制御モータ９１に制御信号を出力する構成としている。この場合、コントローラは、左右両側に装置している２つの制御モータ９１，９１に制御信号を出力して片側吸引式ファン４と横断流ファン５との両方を変速制御する構成としている。
【００６６】
このように、片側吸引式ファン４と横断流ファン５とは、二番処理室２８内に二番物が増えてくると、変速制御されて回転速度が増速され、排塵処理能力を増大して二番処理室２８に還元する二番物の量を減少させて脱穀装置１の内部に詰まりが発生する前に、未然に防止することができる特徴がある。
【００６７】
以上、本件出願に係る発明のいろいろな実施態様を説明したが、第一の特徴は、横断流ファン５の左側に片側吸引式ファン４を併設した構成にあり、機体側部の排塵処理室８から漏下、及び排塵された排塵物中の軽い藁屑や塵埃を、片側吸引式ファン４によって吸塵して機外に排塵し、二番還元物を大幅に少なくし、脱穀選別効率を向上して二番処理の負荷を軽減できるものとした点にある。
【００６８】
そして、第二の特徴は、排塵処理室８から排出された排塵物の軽いものは、上記説明の通り、上側の片側吸引式ファン４で吸引して機外に排塵するが、下方まで落下してくる穀粒の混入している重い排塵物は、拡散処理胴１０の回転にともなってツース歯４０によって右前方（横断流ファン５の吸引側前方の意味）の揺動選別棚３上に拡散し、揺動選別を受けながら横断流ファン５によって吸塵選別させることが可能になった。
【００６９】
そして、第三の特徴は、片側吸引式ファン４と拡散処理胴１０とは、横断流ファン５の伝動経路とは別の伝動経路によって伝動され、それぞれ近い側の機体側板９側から入力して伝動される構成にしたから、伝動機構を交差させる必要もなく、単純化できるものとなった。
【００７０】
そして、片側吸引式ファン４と拡散処理胴１０とを駆動する伝動経路と、他方の横断流ファン５を駆動する伝動経路とは、各々独立した別経路にしているから、それぞれの処理量に対応させて、処理速度を別々に変速できるものとした点にある。
【００７１】
そして、第四の特徴は、２つのファン４，５の外径を略同等に形成したから、外周を覆うケーシング３８や出口側に設ける分離板３９を共用することができ、これらの剛性を大幅に向上して強度を確保できると共に、２器のファン４，５を設けるものでありながら部品点数を増加することなく製作できる点にある。
【符号の説明】
【００７２】
１  脱穀装置
２  選別室
３  揺動選別棚
４  片側吸引式ファン
５  横断流ファン
６  吸塵口
９  機体側板（側板）
１０  拡散処理胴（処理胴）
１３  穀稈供給口
１４  扱胴
１５  扱室
１６  挟持杆
１７  フィードチェン
１８  挟持搬送装置
１９  扱口
２０  圧風唐箕
２１  一番移送螺旋
２２  二番移送螺旋
２４  選別風路
３３  排塵口
４０  ツース歯（処理歯）
４３  拡散処理胴駆動ケース（処理胴駆動ケース）
【図１】
0005533702.tif 000002
【図２】
0005533702.tif 000003
【図３】
0005533702.tif 000004
【図４】
0005533702.tif 000005
【図５】
0005533702.tif 000006
【図６】
0005533702.tif 000007
【図７】
0005533702.tif 000008
【図８】
0005533702.tif 000009
【図９】
0005533702.tif 000010
【図１０】
0005533702.tif 000011
【図１１】
0005533702.tif 000012
【図１２】
0005533702.tif 000013
【図１３】
0005533702.tif 000014
【図１４】
0005533702.tif 000015
【図１５】
0005533702.tif 000016
【図１６】
0005533702.tif 000017
【図１７】
0005533702.tif 000018
【図１８】
0005533702.tif 000019
【図１９】
0005533702.tif 000020
【図２０】
0005533702.tif 000021
【図２１】
0005533702.tif 000022
【図２２】
0005533702.tif 000023